(57)【要約】【課題】  防水性を有し文字スクロールが容易なジョグスイッチ型の複合スイッチを提供すること。【解決手段】  ３個の個別スイッチ１１、１２、１３に対応して、３個のボタン軸２１、２２、２３が軸方向に往復移動可能にして且つ防水パッキン３１、３２、３３を介して外装カバーの貫通孔に取付けられている。ボタンヘッド２０は、中間位置でプッシュ可能で且つボタン軸の配置方向にスライド可能にして外装カバーに取付けられている。ボタンヘッド２０を中間位置でプッシュすると中央のボタン軸２１は中央個別スイッチ１１のみをオンする。ボタンヘッド２０を下側にスライドさせると下側のボタン軸２２は下側個別スイッチ１２のみをオンし、上側にスライドさせると上側のボタン軸２３は上側個別スイッチ１３のみをオンする。【選択図】  図２
2005285660.tif 000002
【特許請求の範囲】
【請求項１】
第１支持部材上に一列に配置された複数の個別スイッチ、前記複数の個別スイッチのそれぞれに対応し且つばね力を与えられて配置された複数のボタン軸、及び、中央突起部と左右の逃げ部が形成された裏面を有するボタンヘッドであって前記複数のボタン軸の操作端部を前記中央突起部で選択的に押圧するように配置されたボタンヘッドとから構成された複合スイッチであって、
前記複数のボタン軸は、軸方向に往復移動可能にして且つ防水パッキンを介して第２支持部材の貫通孔に取付けられ、
前記ボタンヘッドは、前記ボタン軸の配置方向にスライド可能で且つ中間位置においてプッシュ可能にして前記第２支持部材に取付けられていることを特徴とする複合スイッチ。
【請求項２】
第１支持部材上に一列に配置された２個の個別スイッチ、前記２個の個別スイッチのそれぞれに対応し且つばね力を与えられて配置された２個のボタン軸、及び、中央突起部と左右の逃げ部が形成された裏面を有するボタンヘッドであって前記ボタン軸の操作端部を前記中央突起部で選択的に押圧するように配置されたボタンヘッドとから構成された複合スイッチであって、
前記ボタン軸は、軸方向に往復移動可能にして且つ防水パッキンを介して第２支持部材の貫通孔に取付けられ、
前記ボタンヘッドは、前記ボタン軸の配置方向にスライド可能にして前記第２支持部材に取付けられていることを特徴とする複合スイッチ。
【請求項３】
前記２個のボタン軸の操作端部は、断面が円弧状であることを特徴とする請求項２に記載の複合スイッチ。
【請求項４】
第１支持部材上に一列に配置された中央個別スイッチと下側個別スイッチと上側個別スイッチ、前記３個の個別スイッチのそれぞれに対応し且つばね力を与えられて配置された中央ボタン軸と下側ボタン軸と上側ボタン軸、及び、中央突起部と左右の逃げ部が形成された裏面を有するボタンヘッドであって前記下側ボタン軸と上側ボタン軸の操作端部を前記中央突起部で選択的に押圧するように配置されたボタンヘッドとから構成された複合スイッチであって、
前記ボタン軸は軸方向に往復移動可能にして且つ防水パッキンを介して第２支持部材の貫通孔に取付けられ、
前記ボタンヘッドは、前記中央個別スイッチの操作端部と常時係合して前記３個のボタン軸の配置方向にスライド可能で且つ中間位置においてプッシュ可能にして前記第２支持部材に取付けられていることを特徴とする複合スイッチ。
【請求項５】
第１支持部材上に一列に配置された中央個別スイッチと２個の下側個別スイッチと２個の上側個別スイッチ、前記５個の個別スイッチのそれぞれに対応し且つばね力を与えられて配置された中央ボタン軸と２個の下側ボタン軸と２個の上側ボタン軸、及び、中央突起部と左右の逃げ部が形成された裏面を有するボタンヘッドであって前記２個の下側ボタン軸と２個の上側ボタン軸の操作端部を前記中央突起部で選択的に押圧するように配置されたボタンヘッドとから構成された複合スイッチであって、
前記ボタン軸は、軸方向に往復移動可能にして且つ防水パッキンを介して第２支持部材の貫通孔に取付けられ、
前記ボタンヘッドは前記中央個別スイッチの操作端部と常時係合して前記５個のボタン軸の配置方向にスライド可能で且つ中間位置においてプッシュ可能にして前記第２支持部材に取付けられていることを特徴とする複合スイッチ。
【請求項６】
前記ボタンヘッドの中央突起部にはスライド方向の係合溝が形成されており、前記中央のボタン軸の操作端部は前記係合溝と常時係合する係合突起を有し、更に、前記両側のボタン軸の操作端部は断面が円弧状であることを特徴とする請求項４又は５に記載の複合スイッチ。
【請求項７】
前記係合溝は断面が略Ｔ字形の溝であって、前記係合突起は前記係合溝内をスライド可能な略Ｔ字形の突起であることを特徴とする請求項６に記載の複合スイッチ。
【請求項８】
前記第１支持部材は回路基板であり、前記第２支持部材は外装ケースであることを特徴とする請求項１乃至５のいずれかに記載の複合スイッチ。
【請求項９】
請求項１乃至８のいずれかに記載の複合スイッチを備えた電子機器。
【請求項１０】
請求項１乃至８のいずれかに記載の複合スイッチを備えた電子時計。
【発明の詳細な説明】
【技術分野】
【０００１】
本発明は多機能電子時計などの電子機器に用いられる複合スイッチに関する。
【背景技術】
【０００２】
電子時計が多機能化し、スイッチによる入力作業も頻繁になっている。例えば、文字列を入力しようとすると、平仮名の５０音字、アルファベットの２６文字、数字などと多くの文字情報の中からスイッチ操作により文字列をスクロールさせ、所望の１文字を確定する。これをプッシュスイッチで行うには、操作が煩雑になる。そこで、それを解消するために採用されたロータリースイッチは、その構造から電子時計の外形形状を丸型にせざるを得なくなり、デザインの自由度が制限されるという問題を有する。
電子時計以外の分野では、文字スクロールに対応した入力操作構造としてジョグスイッチがあり、その操作性の良さは広く認知されている。しかしながら、これを搭載した製品は防水性が考慮されていない。このため、従来のジョグスイッチは電子時計には採用できない。
【０００３】
防水性を有する電子時計用の複合スイッチとしては、特開２００１−２１５２８８号公報（特許文献１）に開示されているものがある。この従来の複合スイッチは、複数の固定接点と、前記各固定接点に対し接離可能な状態に弾性体に支持された可動接点と、押圧端部と操作端部を有し前記各可動接点を押圧して前記接離を行わせる軸方向に往復動可能な複数の可動軸とから成るドーム型複合スイッチであって、前記複数の可動軸の操作端部をシリコンゴムなどの軟質部材で一体的に覆って保持した防水性の高いドーム型複合スイッチである。しかしながら、このドーム型複合スイッチを多機能電子時計に採用し、文字スクロールする場合、スクロールの開始から終了まで指で押し続けなければならないので、操作性に問題が残っている。
【特許文献１】特開２００１−２１５２８８号公報
【発明の開示】
【発明が解決しようとする課題】
【０００４】
本発明が解決しようとする課題は、多機能電子時計などの電子機器に用いられる複合スイッチであって、防水性を有し且つ文字スクロールが容易なジョグスイッチ型の複合スイッチを提供することである。
【課題を解決するための手段】
【０００５】
上記課題を解決する複合スイッチを、第１支持部材上に一列に配置された複数の個別スイッチ、前記複数の個別スイッチのそれぞれに対応し且つばね力を与えられて配置された複数のボタン軸、及び、中央突起部と左右の逃げ部が形成された裏面を有するボタンヘッドであって前記複数のボタン軸の操作端部を前記中央突起部で選択的に押圧するように配置されたボタンヘッドとで構成し、前記複数のボタン軸を軸方向に往復移動可能にして且つ防水パッキンを介して第２支持部材の貫通孔に取付け、且つ、前記ボタンヘッドを前記ボタン軸の配置方向にスライド可能にして前記第２支持部材に取付けた。
【発明の効果】
【０００６】
本発明により、文字スクロール操作が容易で、防水性を有する簡易ジョグスイッチ型の複合スイッチが提供された。従って、本発明に係る複合スイッチを採用することによって、操作が容易で防水性を有する多機能電子時計や電子機器が実現できるようになった。また、防水パッキンを用いるのみであるので、防水構造が簡単に実現できるようになった。
【発明を実施するための最良の形態】
【０００７】
本発明に係る複合スイッチは、第１支持部材に一列に等間隔に配置された３個の個別スイッチ、中間位置でプッシュ可能で且つ個別スイッチの配置方向にスライド可能にして第２支持部材に配置されたボタンヘッド、及び、前記ボタンヘッドで操作されて前記個別スイッチを駆動する３個のボタン軸を備えた３軸型複合スイッチである。なお、前記ボタン軸は防水パッキンを介して第２支持部材の貫通孔に取り付けられている。
【０００８】
この３軸型複合スイッチは、ボタンヘッドが中間位置にあって且つプッシュされないニュートラル状態では、３個の個別スイッチのいずれも駆動しない。この３軸型複合スイッチは、ボタンヘッドを中間位置でプッシュすると中央個別スイッチのみをオンし、下側にスライドさせると下側ボタン軸を介して下側個別スイッチのみをオンし、上側にスライドさせると上側ボタン軸を介して上側個別スイッチのみをオンする。
【０００９】
即ち、この複合スイッチは、第１支持部材上に一列に配置された中央個別スイッチと下側個別スイッチと上側個別スイッチ、前記３個の個別スイッチのそれぞれに対応し且つばね力を与えられて配置された中央ボタン軸と下側ボタン軸と上側ボタン軸、及び、中央突起部と左右の逃げ部が形成された裏面を有するボタンヘッドであって前記ボタン軸の操作端部を前記中央突起部で選択的に押圧するように配置されたボタンヘッドとから構成されたものである。そして、前記ボタン軸は軸方向に往復移動可能にして且つ防水パッキンを介して第２支持部材の貫通孔に取付けられ、前記ボタンヘッドは前記ボタン軸の配置方向にスライド可能で且つ中間位置においてプッシュ可能にして前記第２支持部材に取付けられていることを特徴とするものである。更に、前記ボタンヘッドの中央突起部にはスライド方向の係合溝が形成されており、前記中央ボタン軸の操作端部は前記係合溝と常時係合する係合突起を有する。また、記下側ボタン軸と上側ボタン軸の操作端部は断面が円弧状である。
【実施例１】
【００１０】
図１〜図４は、多機能電子時計に採用された実施例１の複合スイッチの断面図である。本発明が適用される多機能電子時計は、基本時計機能、アラーム時刻表示機能、クロノグラフ表示機能、気圧表示機能、高度表示機能などの多数の機能を備えたものである。本発明に係る複合スイッチは、基本時計モード、アラームモード、クロノグラフモード、気圧計測モード、高度計測モード、時刻修正モードなどの多数のモード切替に使われるものである。
【００１１】
実施例１の複合スイッチは、所定間隔をおいて多機能時計の回路基板１上に配置された下側個別スイッチ１２と上側個別スイッチ１３と、個別スイッチの配置方向にスライド可能で且つ中間位置でプッシュ可能にして多機能時計の外装カバー２に配置されたボタンヘッド２０と、ボタンヘッド２０で操作されて個別スイッチ１２と１３を駆動する下側ボタン軸２２と上側ボタン軸２３を備えた２軸型複合スイッチである。
【００１２】
ボタン軸２２と２３は、防水パッキン３２と３３をそれぞれ介して外装カバー２のそれぞれの貫通孔に取り付けられ、且つ、それぞれのバイアスばね４２と４３によってボタンヘッド２０の方向に移動するようなばね力が与えられている。
【００１３】
ボタンヘッド２０は、長さが下側ボタン軸２２と上側ボタン軸２３の間隔の２倍を少し超える程度で且つ幅がこれらボタン軸の軸径を少し超える程度の部材である。ボタンヘッド２０の裏面には断面が台形の中央突起部２０ａが中央部に形成され、中央突起部２０ａの両側には逃げ部２０ｂが形成されている。中央突起部２０ａの頂面の長さはボタン軸の軸径程度である。ボタンヘッド２０の左右の逃げ部２０ｂには、バイアスばね４２と４３によってばね力が与えられている下側ボタン軸２２と上側ボタン軸２３の操作端部が当接している。これによって、ボタンヘッド２０の表面はボタンヘッドカバー３に押さえつけられている。
【００１４】
ボタン軸２１と２２の操作端部２２ａと２３ａは、断面が円弧状に形成されている。これは、中央突起部２０ａと逃げ部２０ｂを有するボタンヘッド２０が、下側ボタン軸２２の操作端部２２ａと下側ボタン軸２３の操作端部２３ａと当接しながらも、円滑にスライドできるようにするためである。
【００１５】
下側個別スイッチ１２と上側個別スイッチ１３はいずれも、固定接点と可動接点と前記可動接点を前記固定接点から所定間隔離して保持する弾性部材とで構成された一般的なスイッチであり、例えば、回路基板上に形成された一対の固定接点と、これら固定接点を覆うようにして回路基板に配置されたドーム型弾性部材と、ドーム型弾性部材の内側に取付けられた可動接点とで構成されたドーム型スイッチが採用されている。
【００１６】
上述の如く構成された２軸型複合スイッチは、ボタンヘッド２０が中間位置にあってか且つプッシュされない図１のニュートラル状態では、下側ボタン軸２２と上側ボタン軸２３は、それぞれのバイアスばね３２と３３によってボタンヘッド２０の逃げ部２０ｂの方向に移動させられている。この状態では、ボタンヘッド２０の中央突起部２０ａは下側ボタン軸２２の操作端部２２ａと上側ボタン軸２３の操作端部２３ａのいずれとも係合していないので、ボタン軸２２と２３の先端部は下側個別スイッチ１２と上側個別スイッチ１３から離間させられている。従って、このニュートラル状態では下側個別スイッチ１２と上側個別スイッチ１３は共にオフである。
【００１７】
下側個別スイッチ１２をオンにするには、図２に示す如く、ボタンヘッド２０を下側にスライドさせる。すると、ボタンヘッド２０の中央突起部２０ａは下側ボタン軸２２と係合し、ボタン軸２２を個別スイッチ側に移動させる。て固定接点に接触させ、下側個別スイッチ１２をオンにする。この状態では、上側個別スイッチ１３はオフである。
【００１８】
上側個別スイッチ１３をオンにするには、図３に示す如く、ボタンヘッド２０を上側にスライドさせる。すると、ボタンヘッド２０の中央突起部２０ａは上側ボタン軸２３と係合し、ボタン軸２３を個別スイッチ側に移動させる。これにより、上側ボタン軸２３の先端部は上側個別スイッチ１３の可動接点をプッシュして固定接点に接触させ、上側個別スイッチ１３をオンにする。この状態では、下側個別スイッチ１２はオフである。
【００１９】
下側個別スイッチ１２と上側個別スイッチ１３を共にオンにするには、図４に示す如く、ボタンヘッド２０を中間位置にスライドさせてプッシュする。すると、ボタンヘッド２０の中央突起部２０ａの両側の逃げ部２０ｂは下側ボタン軸２２と上側ボタン軸２３と当接し、ボタン軸２２と２３はボタンヘッド２０に押されて個別スイッチ側に移動する。これにより、ボタン軸２２と２３の先端部は下側個別スイッチ１２と上側個別スイッチ１３の可動接点をプッシュして固定接点に接触させ、下側個別スイッチ１２と上側個別スイッチ１３を共にオンにする。
【００２０】
上述の如く、下側個別スイッチ１２と上側個別スイッチ１３と、下側ボタン軸２２と上側ボタン軸２３と、個別スイッチの配置方向にスライド可能で且つ中間位置でプッシュ可能なボタンヘッド２０とを具備して構成された実施例１の２軸型複合スイッチは、４つの切替状態を実現する。即ち、下側個別スイッチ１２のみオン、上側個別スイッチ１３のみオン、下側個別スイッチ１２と上側個別スイッチ１３を共にオン、及び、下側個別スイッチ１２と上側個別スイッチ１３を共にオフの４つの切替状態を実現するものである。そして、ボタンヘッド２０をスライドしてオンされた個別スイッチは、ボタンヘッド２０がその位置に保持されている間は切替状態が保持される。従って、スクロール操作において、ボタンヘッド２０をプッシュし続ける必要がなくなり、操作しやすくなった。
【実施例２】
【００２１】
図５〜図８は、多機能電子時計に採用された実施例２の複合スイッチの断面図である。実施例２の複合スイッチは３軸型複合スイッチである。即ち、この複合スイッチは、所定間隔をおいて多機能時計の回路基板１上に配置された中央個別スイッチ１１と下側個別スイッチ１２と上側個別スイッチ１３、これら３個の個別スイッチの配置方向にスライド可能で且つ中間位置でプッシュ可能にして外装カバー２に配置されたボタンヘッド２０、及び、ボタンヘッド２０で操作されて個別スイッチ１１と１２と１３を駆動する中央ボタン軸２１と下側ボタン軸２２と上側ボタン軸２３とを備えた３軸型複合スイッチである。
【００２２】
ボタン軸２１と２２と２３は、防水パッキン３１と３２と３３をそれぞれ介して多機能時計の外装カバー２の貫通孔に取り付けられ、且つ、それぞれのバイアスばね４１と４２と４３によってボタンヘッド２０の方向に移動するようなばね力が与えられている。下側個別スイッチ１２と中央個別スイッチ１１の間隔と、上側個別スイッチ１３と中央個別スイッチ１１の間隔は等しく選定されている。なお、ニュートラル位置において、バイアスばね４２と４３によってばね力が与えられている下側ボタン軸２２と上側ボタン軸２３の操作端部はボタンヘッド２０の左右の逃げ部２０ｂには当接していないように、ボタン軸２２と２３と逃げ部２０ｂとの位置関係が定められている。
【００２３】
ボタンヘッド２０は、長さが中央ボタン軸２１と下側ボタン軸２２の間隔の３倍を少し超える程度で且つ幅がこれらボタン軸の軸径を少し超える程度の部材である。ボタンヘッド２０の裏面には中央部に断面が台形の中央突起部２０ａが形成され、且つ左右に逃げ部２０ｂが形成されている。中央突起部２０ａの頂面のボタン軸の配置方向の幅は、隣合うボタン軸の間隔に略等しい。中央突起部２０ａには、ボタン軸の配置方向に１本の係合溝２０ｃが形成されている。
【００２４】
また、中央突起部２０ａの係合溝２０ｃは、図１５に示す如く、頂面からの深さが中央突起部２０ａの半分程度のＴ字形断面の溝ある。中央突起部２０ａのＴ字形断面の係合溝２０ｃと係合するために、中央ボタン軸２１の操作端部２１ａはＴ字形断面の端部となっている。中央突起部２０ａのＴ字形断面の係合溝２０と中央ボタン軸２１のＴ字形断面の操作端部２１ａは常時係合しているが、ボタンヘッド２０を上下にスライドさせても中央ボタン軸２１が押圧されることはない。なお、ニュートラル位置において、バイアスばね４１によってばね力が与えられている中央ボタン軸２１の先端部が中央個別スイッチ１１に当接していないように、ボタン軸２１と２３と中央突起部２０ａとの係合の位置関係が定められている。
【００２５】
第１下側ボタン軸２２の操作端部２２ａ、第２下側ボタン軸２４の操作端部２４ａ、第１上側ボタン軸２３の操作端部２３ａ、第２上側ボタン軸２５の操作端部２５ａは、いずれも断面が円弧状に形成されている。これは、中央の中央突起部２０ａと左右の逃げ部２０ｂを有するボタンヘッド２０が、第１下側ボタン軸２２の操作端部２２ａ、第２下側ボタン軸２４の操作端部２４ａ、第１上側ボタン軸２３の操作端部２３ａ、第２上側ボタン軸２５の操作端部２５ａに当接しながらも、円滑にスライドできるようにするためである。
【００２６】
中央個別スイッチ１１、第１下側個別スイッチ１２、第２下側個別スイッチ１４、第１上側個別スイッチ１３、第２上側個別スイッチ１５には、実施例１と同様に、ドーム型スイッチが採用されている。
【００２７】
上述の如く構成された３軸型複合スイッチは、ボタンヘッド２０が中間位置にあって且つプッシュされない図５のニュートラル状態では、下側ボタン軸２２と上側ボタン軸２３は、それぞれのバイアスばね３２と３３によってボタンヘッド２０の逃げ部２０ｂの方向に移動させられており、その先端部は下側個別スイッチ１２と上側個別スイチ１３から離間させられている。また、ボタンヘッド２０と常時係合している中央ボタン軸２１の先端部も中央個別スイッチ１１から離間させられている。従って、このニュートラル状態では、３個の個別スイッチ１１〜１３はいずれもオフである。
【００２８】
下側個別スイッチ１２のみをオンにするには、図６に示す如く、ボタンヘッド２０を下側にスライドさせる。すると、ボタンヘッド２０の中央突起部２０ａは下側ボタン軸２２の操作端部２２ａと係合し、ボタン軸２２を個別スイッチ側に移動させる。これにより、ボタン軸２２の先端部は下側個別スイッチ１２の可動接点をプッシュして固定接点に接触させ、下側個別スイッチ１２をオンにする。この状態では、中央個別スイッチ１１と上側個別スイッチ１３は共にオフである。
【００２９】
上側個別スイッチ１３のみをオンにするには、図７に示す如く、ボタンヘッド２０を上側にスライドさせる。すると、ボタンヘッド２０の中央突起部２０ａは上側ボタン軸２３の操作端部２３ａと係合し、ボタン軸２３を個別スイッチ側に移動させる。これにより、ボタン軸２３の先端部は上側個別スイッチ１３の可動接点をプッシュして固定接点に接触させ、上側個別スイッチ１３をオンにする。この状態では、中央個別スイッチ１１と下側個別スイッチ１２は共にオフである。
【００３０】
中央個別スイッチ１１のみをオンにするには、図８に示す如く、ボタンヘッド２０を中間位置にスライドさせてプッシュする。すると、ボタンヘッド２０と常時係合しているボタン軸２１は移動し、その先端部は個別スイッチ１１の可動接点をプッシュして固定接点に接触させ、中央個別スイッチ１１をオンにする。この状態では、下側ボタン軸１２の操作端部２２ａと上側ボタン軸２３の操作端部２３ａは、ボタンヘッド２０の左右の逃げ部２０ｂ内に収まり、下側ボタン軸１２と上側ボタン軸２３はボタンヘッド２０でプッシュされない。従って、下側個別スイッチ１２と上側個別スイッチ１３は共にオフである。
【００３１】
上述の如く、中央個別スイッチ１１と下側個別スイッチ１２と上側個別スイッチ１３、中央ボタン軸２１と下側ボタン軸２２と上側ボタン軸２３、及び、個別スイッチの配置方向にスライド可能で且つ中間位置でプッシュ可能なボタンヘッド２０とを具備して構成された実施例２の３軸型複合スイッチは、４つの切替状態を実現する。即ち、下側個別スイッチ１２のみオン、上側個別スイッチ１３のみオン、中央個別スイッチ１１のみオン、及び、３個の個別スイッチ１１と１２と１３が共にオフの４つの切替状態を実現するものである。従って、スクロール操作において、ボタンヘッド２０をプッシュし続ける必要がなくなり、操作しやすくなった。
【実施例３】
【００３２】
実施例３の複合スイッチは５軸型複合スイッチである。即ち、この複合スイッチは、所定間隔をおいて回路基板１上に配置された中央個別スイッチ１１、第１下側個別スイッチ１２、第２下側個別スイッチ１４、第１上側個別スイッチ１３、及び第２上側個別スイッチ１５の５個の個別スイッチと、個別スイッチの配置方向にスライド可能で且つ中間位置でプッシュ可能にして外装カバー２に配置されたボタンヘッド２０と、ボタンヘッド２０で操作されて個別スイッチ１１〜１５を駆動する中央ボタン軸２１、第１下側ボタン軸チ２２、第２下側ボタン軸２４、第１上側ボタン軸２３、及び第２上側ボタン軸２５の５個のボタン軸を備えた５軸型複合スイッチである。ボタン軸２１〜２５は、防水パッキン３１〜３５をそれぞれ介して外装カバー２の貫通孔に取り付けられ、且つ、それぞれのバイアスばね４１〜４５によってボタンヘッド２０の方向に移動するようなばね力が与えられている。要するに、実施例３の複合スイッチは、上述の実施例２の３軸複合スイッチに、第２下側個別スイッチ１４と第２上側個別スイッチ１５と、第２下側ボタン軸２４と第２上側ボタン軸２５とを追加して構成されたものである。
【００３３】
第２下側個別スイッチ１４は、第１下側個別スイッチ１２よりも更に下側に配置されている。また、第２上側個別スイッチ１５は、第１上側個別スイッチ１３よりも更に上側に配置されている。第１下側個別スイッチ１２と中央個別スイッチ１１の間隔と第１上側個別スイッチ１３と中央個別スイッチ１１の間隔と等しく選定されている。一対の下側個別スイッチ１２と１４の間隔は、第１下側個別スイッチ１２と中央個別スイッチ１１との間隔の半分である。同様に、一対の上側個別スイッチ１３と１５の間隔は、第１上側個別スイッチ１３と中央個別スイッチ１１との間隔の半分である。２下側個別スイッチ１４を駆動するように第２下側のボタン軸２４は上述の如く間隔をおいて外装カバー２に配置されている。同様に、第２上側個別スイッチ１５を駆動するように第２上側ボタン軸２５は上述の如く間隔をおいて外装カバー２に配置されている。
【００３４】
ボタン軸２１〜２５は、防水パッキン３１〜３５をそれぞれ介して多機能時計の外装カバー２の貫通孔に取り付けられ、且つ、それぞれのバイアスばね４１〜４５によってボタンヘッド２０の方向に移動するようなばね力が与えられている。第１下側個別スイッチ１２と中央個別スイッチ１１の間隔と、第１上側個別スイッチ１３と中央個別スイッチ１１の間隔は等しく選定されている。第１下側個別スイッチ１２と第２下側個別スイッチ１４との間隔は第１下側個別スイッチ１２と中央個別スイッチ１１の間隔の半分である。同様に、第１上側個別スイッチ１３と第２上側個別スイッチ１５との間隔は第１上側個別スイッチ１３と中央個別スイッチ１１の間隔の半分である。
【００３５】
ボタンヘッド２０は、長さが中央ボタン軸２１と下側ボタン軸２２の間隔の４倍を少し超える程度で且つ幅がこれらボタン軸の軸径を少し超える程度の部材である。ボタンヘッド２０の裏面には中央部に断面が台形の中央突起部２０ａが形成され、且つ左右に逃げ部２０ｂが形成されている。中央突起部２０ａの頂面のボタン軸の配置方向の幅は、中央ボタン軸２１と下側ボタン軸２２の間隔に略等しい。中央突起部２０ａには、ボタン軸の配置方向に１本の係合溝２０ｃが形成されている。
【００３６】
また、中央突起部２０ａの係合溝２０ｃは、図１５に示す如く、頂面からの深さが中央突起部２０ａの半分程度のＴ字形断面の溝ある。中央突起部２０ａのＴ字形断面の係合溝２０ｃと係合するために、中央ボタン軸２１の操作端部２１ａはＴ字形断面の端部となっている。中央突起部２０ａのＴ字形断面の係合溝２０と中央ボタン軸２１のＴ字形断面の操作端部２１ａは常時係合しているが、ボタンヘッド２０を上下にスライドさせても中央ボタン軸２１が押圧されることはない。
【００３７】
第１下側ボタン軸２２の操作端部２２ａ、第２下側ボタン軸２４の操作端部２４ａ、第１上側ボタン軸２３の操作端部２３ａ、及び第２上側ボタン軸２５の操作端部２５ａはいずれも、断面が円弧状に形成されている。これは、中央の中央突起部２０ａと両側の逃げ部２０ｂを有するボタンヘッド２０が、下側ボタン軸２２の操作端部２２ａと上側ボタン軸２３の操作端部２３ａに当接しながらも、円滑にスライドできるようにするためである。
【００３８】
中央個別スイッチ１１、下側個別スイッチ１２と１４、上側個別スイッチ１３と１５には、実施例１と同様に、ドーム型スイッチが採用されている。
【００３９】
上述の如く構成された５軸型複合スイッチは、ボタンヘッド２０が中間位置にあって且つプッシュされない図９のニュートラル状態では、中央ボタン軸２１の両側の４個のボタン軸２２〜２５は、それぞれのバイアスばね３２〜３５によってボタンヘッド２０の逃げ部２０ｂの方向に移動させられている。この状態では、ボタンヘッド２０の中央突起部２０ａは４個のボタン軸２２〜２５の操作端部２２ａ〜２５ａのいずれとも係合していないので、その先端部は４個の個別スイッチ１２〜１５から離間させられている。また、ボタンヘッド２０と常時係合している中央ボタン軸２１の先端部も中央個別スイッチ１１から離間させられている。従って、このニュートラル状態では、４個の個別スイッチ１１〜１５はいずれもオフである。
【００４０】
第１下側個別スイッチ１２のみをオンにするには、図１０に示す如く、ボタンヘッド２０を下側に１段スライドさせる。すると、ボタンヘッド２０の中央突起部２０ａは第１下側ボタン軸２２の操作端部２２ａと係合し、ボタン軸２２を個別スイッチ側に移動させる。これにより、第１下側ボタン軸２２の先端部は第１下側個別スイッチ１２の可動接点をプッシュして固定接点に接触させ、第１下側個別スイッチ１２をオンにする。この状態では、中央個別スイッチ１１、第２下側個別スイッチ１４、第１上側個別スイッチ１３、及び第２上側個別スイッチ１５はいずれもオフである。
【００４１】
第１下側個別スイッチ１２と第２下側個別スイッチ１４を共にオンにするには、図１１に示す如く、ボタンヘッド２０を下側に２段スライドさせる。すると、ボタンヘッド２０の中央突起部２０ａは第１下側ボタン軸２２と第２下側ボタン軸２４の操作端部２２ａと２４ａの両方と係合し、ボタン軸２２と２４を個別スイッチ側に移動させる。これにより、ボタン軸２２と２４の先端部は下側個別スイッチ１２と１４のそれぞれの可動接点をプッシュして固定接点に接触させ、第１下側個別スイッチ１２と第２下側個別スイッチ１４を共にオンにする。この状態では、中央個別スイッチ１１、第１上側個別スイッチ１３、及び第２上側個別スイッチ１５はいずれもオフである。
【００４２】
第１上側個別スイッチ１３のみをオンにするには、図１２に示す如く、ボタンヘッド２０を上側に１段スライドさせる。すると、ボタンヘッド２０の中央突起部２０ａは第１上側ボタン軸２３の操作端部２３ａと係合し、ボタン軸２２を個別スイッチ側に移動させる。これにより、第１上側ボタン軸２３の先端部は第１上側個別スイッチ１３の可動接点をプッシュして固定接点に接触させ、第１上側個別スイッチ１３をオンにする。この状態では、中央個別スイッチ１１、第１下側個別スイッチ１２、第２下側個別スイッチ１４、及び第２上側個別スイッチ１５はいずれもオフである。
【００４３】
第１上側個別スイッチ１３と第２上側個別スイッチ１５を共にオンにするには、図１３に示す如く、ボタンヘッド２０を上側に２段スライドさせる。すると、ボタンヘッド２０の中央突起部２０ａは第１上側ボタン軸２３と第２上側ボタン軸２５の操作端部２３ａと２５ａの両方と係合し、ボタン軸２３と２５を個別スイッチ側に移動させる。これにより、ボタン軸２３と２５の先端部は上側個別スイッチ１３と１５のそれぞれの可動接点をプッシュして固定接点に接触させ、第１上側個別スイッチ１３と第２上側個別スイッチ１５を共にオンにする。この状態では、中央個別スイッチ１１、第１下側個別スイッチ１２、及び第２下側個別スイッチ１４はいずれもオフである。
【００４４】
中央個別スイッチ１１のみをオンにするには、図１４に示す如く、ボタンヘッド２０を中間位置にスライドさせてプッシュする。すると、ボタンヘッド２０と常時係合しているボタン軸２１は移動し、その先端部は個別スイッチ１１の可動接点をプッシュして固定接点に接触させ、中央個別スイッチ１１をオンにする。この状態では、下側ボタン軸１２と１４の操作端部２２ａと２４ａ及び上側ボタン軸２３と２５の操作端部２３ａと２５ａは、ボタンヘッド２０の左右の逃げ部２０ｂ内に収まり、下側ボタン軸１２と１４及び上側ボタン軸２３と２５はボタンヘッド２０でプッシュされない。従って、下側個別スイッチ１２と１４及び上側個別スイッチ１３と１５はいずれもオフである。
【００４５】
上述の如く、中央個別スイッチ１１と下側個別スイッチ１２と上側個別スイッチ１３、中央ボタン軸２１と下側ボタン軸２２と上側ボタン軸２３、及び個別スイッチの配置方向にスライド可能で且つ中間位置でプッシュ可能なボタンヘッド２０とを具備して構成された実施例２の５軸型複合スイッチは、６つの切替状態を実現する。即ち、第１下側個別スイッチ１２のみオン、第１下側個別スイッチ１２と第２下側個別スイッチ１４を共にオン、第１上側個別スイッチ１３のみオン、第１上側個別スイッチ１３と第２上側個別スイッチ１５を共にオン、中央個別スイッチ１１のみオン、及び、５個の個別スイッチ１１〜１５のいずれもがオフの６つの切替状態を実現するものである。従って、スクロール操作において、ボタンヘッド２０をプッシュし続ける必要がなくなり、操作しやすくなった。
【図面の簡単な説明】
【００４６】
【図１】ボタンヘッドが中間位置にあり且つプッシュされていないときの本発明の実施例１の２軸型複合スイッチの断面図である。
【図２】ボタンヘッドが下位置にあるときの本発明の実施例１の２軸型複合スイッチの断面図である。
【図３】ボタンヘッドが上位置にスライドされたきの本発明の実施例１の２軸型複合スイッチの断面図である。
【図４】ボタンヘッドが中間位置にあり且つプッシュされたときの本発明の実施例１の２軸型複合スイッチの断面図である。
【図５】ボタンヘッドが中間位置にあり且つプッシュされていないときの本発明の実施例２の３軸型複合スイッチの断面図である。
【図６】ボタンヘッドが下位置にスライドされたときの本発明の実施例２の３軸型複合スイッチの断面図である。
【図７】ボタンヘッドが上位置にスライドされたきの本発明の実施例２の３軸型複合スイッチの断面図である。
【図８】ボタンヘッドが中間位置にあり且つプッシュされたときの本発明の実施例２の３軸型複合スイッチの断面図である。
【図９】ボタンヘッドが中間位置にあり且つプッシュされていないときの本発明の実施例３の５軸型複合スイッチの断面図である。
【図１０】ボタンヘッドが下位置に１段スライドされたときの本発明の実施例３の５軸型複合スイッチの断面図である。
【図１１】ボタンヘッドが下位置に２段スライドされたきの本発明の実施例３の５軸型複合スイッチの断面図である。
【図１２】ボタンヘッドが上位置に１段スライドされたときの本発明の実施例３の５軸型複合スイッチの断面図である。
【図１３】ボタンヘッドが上位置に２段スライドされたきの本発明の実施例３の５軸型複合スイッチの断面図である。
【図１４】ボタンヘッドが中間位置にあり且つプッシュされたときの本発明の実施例３の５軸型複合スイッチの断面図である。
【図１５】中央ボタン軸の位置で切断して示した本発明の実施例２の３軸複合スイッチ又は実施例３の５軸複合スイッチの断面図である。
【符号の説明】
【００４７】
１  回路基板
２  外装カバー
３  ボタンヘッドカバー
１１  中央個別スイッチ
１２，１４  下側個別スイッチ
１３，１５  上側個別スイッチ
２０  ボタンヘッド
２０ａ  中央突起部
２０ｂ  逃げ部
２０ｃ  係合溝
２１  中央ボタン軸
２１ａ  操作端部
２２，２４  下側ボタン軸
２２ａ，２４ａ  操作端部
２３，２５  上側ボタン軸
２３ａ，２５ａ  操作端部
３１〜３５  防水パッキン
４１〜４５  バイアスばね
【図１】
2005285660.tif 000003
【図２】
2005285660.tif 000004
【図３】
2005285660.tif 000005
【図４】
2005285660.tif 000006
【図５】
2005285660.tif 000007
【図６】
2005285660.tif 000008
【図７】
2005285660.tif 000009
【図８】
2005285660.tif 000010
【図９】
2005285660.tif 000011
【図１０】
2005285660.tif 000012
【図１１】
2005285660.tif 000013
【図１２】
2005285660.tif 000014
【図１３】
2005285660.tif 000015
【図１４】
2005285660.tif 000016
【図１５】
2005285660.tif 000017